(57)【要約】      （修正有）【課題】  急速に高齢化が進み、高齢者人口が増え、高齢の為足腰が衰え、睡眠朝起床時の起き上がる、寝る、横たわる等の動作に介護者を必要としている。介護者がなくても起き上がりが容易な寝具を提供する。【解決手段】敷き布団床に昇降起伏部材２を設ける。敷き布団に設けている昇降するフレーム１の昇降に伴い、敷き布団床が上昇し上半身が起伏する。【選択図】図１
2007203009.tif 000002
【特許請求の範囲】
【請求項１】
敷き布団床下部に昇降起伏部材を設けた事を特徴とした特許請求項１の起伏昇降する敷き布団床。
【請求項２】
敷き布団下部に設けている昇降するフレーム（１）の昇降に伴い上半身、下半身を起伏する事が出来る事を特徴とした特許請求項１の起伏昇降する敷き布団床。
【請求項３】
敷き布団下部に敷いて設けている起伏部材（２）自在金具（３）を設けた事を特徴とした特許請求項１の起伏昇降する敷き布団床。
【請求項４】
起伏部材（２）一端に内蔵した伸縮スライドする部材（６）を設けた事を特徴とした特許請求項１の起伏昇降する敷き布団床。
【請求項５】
起伏する部材（２）の底にフレーム（１）を設け頭部昇降装置部材（４）足後部昇降装置部材（５）を設けた事を特徴とする特許請求項１の起伏昇降する敷き布団床。
【請求項６】
頭部昇降装置部材（４）足後部昇降装置部材（５）上端にワイヤーロープ部材（９）を通すワイヤーロープ部材を誘導する荷車部材（７）を設けた事を特徴とする特許請求項１の起伏昇降する敷き布団床。
【請求項７】
昇降装置部材（４）（５）部材下端に、設置部材（８）を設け起伏部材（２）起伏促するワイヤーロープ（９）を取り付けした事を特徴とした特許請求項１の起伏昇降する敷き布団床。
【請求項８】
起伏部材（２）の起伏を促するワイヤーロープ（９）上一端に起伏部材の起伏角度を決め、起伏部材を持上げる金具（１０）を設け、ワイヤーロープ（９）上に圧着固定した事を特徴とした特許請求項１の起伏昇降する敷き布団床。
【請求項９】
伸縮スライドする部材（６）一端にワイヤーロープ（９）を通す穴（１３）を設け起伏部材の起伏をワイヤーロープ（９）の上下稼動で動く持上げ金具（１０）で起伏部材する事を特徴とする特許請求項１の起伏昇降する敷き布団床。
【請求項１０】
昇降装置部材（４）（５）フレーム（１）の昇降に伴いワイヤーロープ（９）を介し起伏部材（２）の起伏を得る事を特徴とした特許請求項１の起伏昇降する敷き布団床。
【請求項１１】
足後部昇降装置部材（５）内に足を曲げ伸ばし伸縮する踏み板（１８）を設け、握り手部材（２０）に取り付けたロープ（２１）で踏み板を伸縮する事を特徴とした特許請求項２の起伏昇降する敷き布団床。
【請求項１２】
足後部昇降装置部材（５）内に握り手部材（２０）に取り付けたロープ（２１）の端末に、腕の筋肉手の握力足の脚力を刺激鍛える可変重り（１９）を設けた事を特徴とした特許請求項２の起伏昇降する敷き布団床。
【請求項１３】
足後部昇降装置部材（５）内に足を伸縮する踏み板に設けたロープの端末に可変重りを取り付けた事を特徴とした特許請求項２の起伏昇降する敷き布団床。
【請求項１４】
足後部昇降装置部材（５）内に設けたスライドレール部材（１５）に左右に移動するアーム部材（１６）を設けアーム部材が左右に移動するに伴い踏み板（１８）が伸縮する事を特徴とした特許請求項２の起伏昇降する敷き布団床。
【請求項１５】
足後部昇降装置部材（５）一端と踏み板（１８）一端の間に踏み板を保持し伸縮に伴い連動するブーム部材（１７）を設けた事を特徴とした特許請求項２の起伏昇降する敷き布団床。
【発明の詳細な説明】
【技術分野】
【０００１】  介護寝具健康運動具に関する。
【技術背景】
【０００２】  介護用ベットには、上半身下半身を起伏する事の出来るベットが有る。
【０００３】  床とベットの間に高さが生じ掛け布団が滑り落ちがある。
【０００４】  ベットから介護者が転落するのを防止する手摺り柵等があり、ベットの高さを調整し固定するピン等を用いて移動が可能なキャスター等を取り付けたベットも有る。【特許文献】特願平０７−０８８２２９
【特許文献】特開平１０−０２４０８３
【特許文献】特開２００１−０１７２７３
【発明の開示】
【発明の開示】
【発明が解決しようとする為の課題】
【０００５】  解決しようとする問題点は、高齢の為足腰が衰え、寝る、横たわる、腰掛ける、立上がるの睡眠起床時の動作の緩和、掛け布団の滑り落ち、高齢者のベットからの転落、朝起床時の、立ち上がり時の立ちくらみ、歩行時のふらつき転倒を防止する事にある。
【課題を解決しようとする課題】
【０００６】  本発明の起伏昇降する敷き布団床は、頭部、足後部に設けた昇降装置部材が敷き布団を持ち上げ、上半身を起伏し布団に腰掛立上がる動作が容易な高さに、随時、敷き布団高さを得られ事に有るが、高齢の為、睡眠中に体の足腰の筋肉が弛み、朝起床時に布団に横たわりながら適度にこれらの筋肉に刺激を与え、起床歩行時の、ふらつき転倒を予防する事が最も主要な特徴としている。
【発明の効果】
【０００７】  本発明の起伏昇降する敷き布団床は、高齢の為に足腰の筋肉が弛み、布団に横たわった状態で、これらの筋肉を刺激する事で朝、起床時の歩行の際の立つくらみ、ふらつき転倒を防止し、朝起床時には、敷き布団が上昇しながら、上半身を起こし、睡眠以外では、高齢者が腰掛出来る高さの、休養する高の布団となり、立上がるのに容易な高さに敷き布団を上昇する昇降機能付き休養布団が得られ、睡眠時は畳み床と同程度に縮む利点がある、高齢者の布団からの転落、掛け布団の滑り落ちなどの無い高齢者に優しい寝具になる。
【発明を実施する為の最良の形態】
【０００８】  フレーム（１）前後に昇降装置部材（４）（５）を設けフレームに分割し自在金具（３）で連結した起伏部材（２）を乗せ、昇降装置部材でフレームを昇降稼動させ、ワイヤーロープ（９）を介し起伏部材の起伏をフレームの昇降と連動する。  昇降装置部材（５）に手足を刺激運道具を設ける事で、高齢者の起床時の歩行を容易にする安全な起伏昇降する寝具を最小の部品点数で実現した。
【実施例１】
【０００９】  本発明の全体斜視図でフレーム部材（１）に起伏部材（２）を乗せフレームに昇降装置部材（４）（５）設けた図である。【００１０】  起伏部材（２）は、敷き布団掛け布団を載せて使用する。【００１１】  起伏部材は２分割、３分割等された板状の部材を自在金具（３）で連結しフレーム（１）に乗せる。【００１２】  起伏部材（２）は、人が横たわっても歪んだり割れたりしない部材で、通気性を良くする為、適度の穴を設けた板状の部材を用いても良い。【００１３】  上記記述したような強度を有する部材であれば、合板、プラスチック等を用いても良い。【００１４】  スライド部材（６）は、起伏部材（２）一端に設けたもので、起伏部材がワイヤーロープ（９）で引き上げ起き上がる際、スライド部材が伸びる事で起伏部材が起伏容易にする為に設けたものである。【００１５】  スライド部材（６）を設ける事により上半身の起き上がり起伏角度を大きく出来る。【００１６】  スライド部材（６）は、縮みバネ等を併せ持ったもので、起伏部材が伏せた状態では、スライド部材が縮む機能を有している。【００１７】  上記記述したようにワイヤーロープ（９）引き上げ時の力で、伸縮機能を有する部材であれば、どの様な構造の部材を持いても良い。【００１８】  自在金具（３）は公知の兆番又は、凹凸部材突合せしシャフトを通した部材でも良い。【００１９】  これらの自在金具は、起伏部材（２）の起伏角度を得る為の物で適度の強度自在性を有していればどの様な部材を用いても良い。【００２０】  フレーム（１）は、起伏部材を（２）乗せる適度の強度有し敷き布団の大きさの形状としフレーム両端に昇降装置部材（４）（５）を設ける。【００２１】  フレーム（１）は、Ｌ型アングル又は、角パイプ丸パイプ等の形状部材を用い起伏部材に人が乗ってもフレーム部材が、歪み変形しない長方形の形状をしていればどの様な構造材質の部材を用いても良い。【００２２】  フレーム部材（１）前後両端に設けている、昇降装置部材（４）（５）は、公知の長ボルト、ローラーチェーン、圧力シリンダー、ワイヤーロープ巻上げ装置等に何れかを用いる。【００２３】  上記記述をしたように、昇降装置部材（４）（５）形状は、Π字型又は、Ｕ字型とし昇降装置部材上端にワイヤーロープ部材（９）を誘導する荷車（７）設ける。【００２４】  昇降装置部材（４）（５）下端に設置部材（８）を設ける。【００２５】  設置部材（８）板状部材等で昇降装置部材（４）（５）間を結ぶ一体化した部材とする。【００２６】  設置部材（８）は、昇降装置部材が昇降する際、フレームのブレを防ぐ部材で有り、必ずしも昇降装置部材間を結ばなくても、上記記述したように要素を有し、幅の広い安定感の有る板状の部材を用いても良い。【００２７】  これらの設置部材材質は、スチール、アルミ、プラスチック、合板等を用いても良い。【００２８】  起伏部材（２）を起伏促する部材をワイヤーロープ、ローラーチェーン等を用いこれらの部材上一点に起伏部材（２）を持上げる部材（１０）を設け、容易に圧着固定出来るようにする。【００２９】  持上げ部材（１０）は、起伏部材（２）一端に設けているスライド部材（６）の穴（１５）を通るワイヤーロープ上一点に設けたも���で、昇降装置部材の昇降時の上下運動に応じてワイヤーロープが連動し、持上げ部材が起伏部材を持上げ起伏する事と、起伏角度を適する希望する角度に調整し得る部材である。【００３０】  昇降装置部材（４）（５）は、Π字型又は、Ｕ字型で上部一端にワイヤーロープー端に誘導する荷車を設け昇降装置部材（４）（５）が上昇下降する際は、ワイヤーロープ上下運動をする事が出来る。【０００３１】  ワイヤーロープ部部材下端を昇降装置部材に取り付ける。【００３２】  ワイヤーロープ（９）部材設置部材（８）に取り付けし他方一端を、誘導荷車を介し起伏部材のスライド部材穴を通り、希望する布団高さ腰掛高さ立上がる高さの最適の起伏角度を得る所に、ワイヤーロープ上一点に持つ上げ部材（１０）を固定しで起伏部材（２）を起伏する。【００３３】  持上げ部材（１０）は起伏時のフレーム部材（１）の高さを設定し起伏角度を決める為にワイヤーロープ上一点に圧着固定する。【００３４】  上記記述したように希望した敷き布団の高さ、起伏する角度を得られる。【００３５】  持上げ金具（１０）のワイヤーロープ上一点に昇降起伏角度を決める為、人それぞれにあった起伏角度高さが得る事が出来る。【００３６】  日中横たわり休養する時では、適切の高さを得られるベットと何ら変わりなく利用できる。
【実施例２】
【００３７】  昇降装置部材（４）（５）間に起伏部材（２）を敷き昇降装置部材（４）上部にワイヤーロープを取り付け、昇降装置部材（４）と起伏部材（２）間をワイヤーロープで結び昇降装置部材の昇降で起伏部材の上半身を起伏させて使用する。【００３８】  昇降装置部材（４）内にスライド部材を（６）を持上げるパイプ取り付け部材（１４）を設け、昇降装置部材（４）の昇降時に伴いパイプ部材（１４）が起伏部材のスライド部材（６）を持上げ起伏部材を起伏する。
【実施例３】
【００３９】  昇降部材（５）内に設けた足の脚力を刺激鍛える伸縮する踏み板（１８）で有り踏み板の伸縮運動は、握り手部材の引く力で伸縮する。【００４０】  握り手部材（２０）取り付けたロープ（２１）を引く事で踏み板（１８）を伸縮するが腕力を、脚力を鍛える為に、踏み板握り手部材に繋がるロープ端末に適度の可変重り部材（１９）設ける。【００４１】  腕力脚力に応じて可変重りを設けているが、不必要な場合は、可変重りを取り除いても良い。【００４２】  腕脚力を刺激する必要がない場合は、握り手部材のロープを束ねておいても良い。【００４３】  踏み板（１８）の伸縮は、スライドレール部材（１５）に設けた腕の力で引かれるロープ（２１）と踏み板を足で蹴る力で左右に移動するアーム部材（１６）が踏み板を伸縮する。【００４４】  昇降部材（５）踏み板部材（１８）間に設けたブーム部材（１７）は、踏み板を保持し踏み板面を伸縮時、常に上半身に向ける為に設けたものである。【００４５】  踏み板を左右別々に設け、この踏み板の伸縮する部材等である、アーム、ブーム部材をスライドレール左右に設ける事で、足を交互に伸縮する事が出来る。【００４６】  上記記述したように昇降装置部材（５）内に握力腕足を適度に刺激する運道具をボルト等を用い簡単に取り付け取り外しが出来るようにする。【００４７】  昇降装置部材に取り付けた運道具は、朝起床時に布団より立上がり歩行する時に起きる、立くらみ、ふらつき、転倒を防止する為に起床前に、体の手足、腕の筋肉を刺激する事を特徴とする。【００４８】  上記述べたように、本発明は、高齢の為に生じる足腰腕等を、布団に横たわった状態で筋肉を適度に刺激し起床時の歩行を容易にするために、三つの実施例に分かれている。
【産業上利用可能性】
【００４９】  従来の介護用ベット等は適度の、共通した床より高くなっていたが、個人の希望する高さ、起伏角度得られ、急速に高齢社会が進み足腰の衰えた人が、住みなれた住まいで、自立生活をして行く上で睡眠起床の際の、腰掛ける、立上がる動作の障害となる中腰を取り除き家庭内のバリアフリーの一助になる。
【００５０】  このように、衰えた足腰を刺激し、起伏昇降する敷き布団床を設けると、介護用ベット、敷き布団の両方の機能を持った高齢者に優しい寝具を提供できる。
【図面の簡単な説明】
【００５１】
【図１】は、本発明の実施例１の起伏昇降する全体斜視図。
【図２】は、本発明の実施例２の起伏する全体斜視図。
【図３】は、昇降部材にスライド部材を持上げるパイプを設けた斜視図。
【図４】は、起伏昇降する敷き布団床に運道具を取り付けした部分拡大斜視図。
【符号の説明】
【００５２】  １  フレーム    ２  起伏部材    ３  自在金具    ４  頭部昇降装置部材５  足後部昇降部材    ６  スライド部材    ７  誘導荷車    ８  設置部材９  ワイヤーロープ    １０  持つ上げ部材    １１  ローラーチェーン１２  歯車    １３  穴    １４  パイプ部材    １５  スライドレール１６  アーム部材    １７  ブーム部材    １８  踏み板    １９  可変重り２０  握り手部材    ２１  ロープ
【図１】
2007203009.tif 000003
【図２】
2007203009.tif 000004
【図３】
2007203009.tif 000005
【図４】
2007203009.tif 000006